(57)【特許請求の範囲】
【請求項１】
遊技盤を保持する遊技機本体と、前記遊技盤の前面を覆い前記遊技機本体に取付けられたガラス扉と、このガラス扉に取付けられた表示装置とを有し、前記表示装置により弾球遊技機の各種情報を報知する弾球遊技機において、
前記ガラス扉は、
前記遊技機本体に回動可能に軸着された扉枠と、
前後方向に間隔を空けて重なる２枚の透明板を有し、これらの透明板のうちの前側の透明板が前記扉枠の内側に形成された開口部から露出するように前記扉枠の背面に着脱可能に取付けられたガラスユニットとを備え、
前記扉枠には、前記開口部とは別に前後方向に貫通する窓孔が設けられ、
前記ガラスユニットは、前記２枚の透明板のうちの前側の透明板の周縁を囲む前枠と、後側の透明板の周縁を囲む後枠と、これら前枠および後枠から前記窓孔に向かい突出して設けられて前記表示装置が装着されるものであり、前記扉枠に対する前記ガラスユニットの取付けに伴い前記窓孔から視認可能となる位置に前記表示装置が配置されるよう前記表示装置を保持する表示装置装着部とを備え、
前記前枠と前記後枠の側部には、下方に延びた軸棒、および、この軸棒が上方から挿入される軸受部によって、上下方向を回動の軸方向として前記前枠と前記後枠とを開閉可能に軸着するヒンジ部が設けられ、
前記表示装置装着部は、前記後枠から前記前側の透明板よりも前記窓孔に向かい突出して設けられた第１突出部と、前記前枠から前記窓孔に向かい突出して設けられた第２突出部とを備え、前記前枠と前記後枠が閉じて前後方向に重なり合った状態において、前記第２突出部は前記第１突出部に下方から接触して重なった状態となる
ことを特徴とする弾球遊技機。
【発明の詳細な説明】
【技術分野】
【０００１】
本発明は、遊技盤を保持する遊技機本体に取付けられたガラス扉（所謂、前面扉）と、このガラス扉に取付けられた表示装置とを有し、その表示装置により弾球遊技機の各種情報を報知する弾球遊技機に関する。
【背景技術】
【０００２】
従来、弾球遊技機は、その前方からの遊技盤の視認を可能にしつつ、磁石等による遊技盤への不正行為を防止したり、遊技球が遊技盤から前方へ飛散するのを防止したりするガラス扉を備えている。
【０００３】
このガラス扉には、遊技盤を保持する遊技機本体に回動可能に軸着された扉枠と、この扉枠の内側に形成された開口部からの遊技盤の視認が可能となるように扉枠に取付けられた２枚の透明板とを備えている。２枚の透明板は前後方向に重なって配置されていて、前側の透面板は、遊技盤から所定の間隔を隔てて位置していることによって磁石等による遊技盤への不正行為を防止し、後側の透面板は遊技球が遊技盤から前方へ飛散するのを防止する。
【０００４】
この種の弾球遊技機には、弾球遊技機の各種情報を表示する表示装置（液晶表示装置等）が、扉枠に取付けられているものある（特許文献１参照）。
【特許文献１】特開２００４−２９０３５９公報
【発明の開示】
【発明が解決しようとする課題】
【０００５】
弾球遊技機では、ガラス扉の扉枠に対してデザイン替えが行われることがある。前述した従来の弾球遊技機では、扉枠のデザイン替えに際し、ガラス扉全体を交換すると、交換の必要のない２枚の透明板および表示装置を旧デザインの扉枠とともに交換するという無駄が生じる。そこで扉枠のみを交換しようとすると、２枚の透明板および表示装置を旧デザインの扉枠から取外して新デザインの扉枠に取付けるという煩雑な作業が必要になる。
【０００６】
本発明は、前述の実状を考慮してなされたものであり、その目的は、ガラス扉の扉枠に対する２枚の透明板および表示装置の着脱を行いやすい弾球遊技機を提供することにある。
【課題を解決するための手段】
【０００７】
〔１〕前述の目的を達成するために、本発明は、遊技盤を保持する遊技機本体と、前記遊技盤の前面を覆い前記遊技機本体に取付けられたガラス扉と、このガラス扉に取付けられた表示装置とを有し、前記表示装置により弾球遊技機の各種情報を報知する弾球遊技機において、前記ガラス扉は、前記遊技機本体に回動可能に軸着された扉枠と、前後方向に間隔を空けて重なる２枚の透明板を有し、これらの透明板のうちの前側の透明板が前記扉枠の内側に形成された開口部から露出するように前記扉枠の背面に着脱可能に取付けられたガラスユニットとを備え、前記扉枠には、前記開口部とは別に前後方向に貫通する窓孔が設けられ、前記ガラスユニットは、前記２枚の透明板のうちの前側の透明板の周縁を囲む前枠と、後側の透明板の周縁を囲む後枠と、これら前枠および後枠から前記窓孔に向かい突出して設けられて前記表示装置が装着されるものであり、前記扉枠に対する前記ガラスユニットの取付けに伴い前記窓孔から視認可能となる位置に前記表示装置が配置されるよう前記表示装置を保持する表示装置装着部とを備え、前記前枠と前記後枠の側部には、下方に延びた軸棒、および、この軸棒が上方から挿入される軸受部によって、上下方向を回動の軸方向として前記前枠と前記後枠とを開閉可能に軸着するヒンジ部が設けられ、前記表示装置装着部は、前記後枠から前記前側の透明板よりも前記窓孔に向かい突出して設けられた第１突出部と、前記前枠から前記窓孔に向かい突出して設けられた第２突出部とを備え、前記前枠と前記後枠が閉じて前後方向に重なり合った状態において、前記第２突出部は前記第１突出部に下方から接触して重なった状態となることを特徴とする。
【０００８】
このように構成された本発明によれば、２枚の透明板を含むガラスユニットが扉枠に対して着脱可能であるとともに、ガラスユニットに表示装置が取付けられているので、扉枠に対して２枚の透明板および表示装置を一度に着脱することができるようになる。これによって、扉枠に対する２枚の透明板および表示装置の着脱が行いやすくなる。
【発明の効果】
【００１５】
本発明によれば、前述したように、２枚の透明板を含むガラスユニットが扉枠に対して着脱可能であるとともに、ガラスユニットに表示装置が取付けられているので、扉枠に対して２枚の透明板および表示装置を一度に着脱することができるようになり、これによって、扉枠に対する２枚の透明板および表示装置の着脱が行いやすくなる。この結果、扉枠のデザイン替えに際し、旧デザインの扉枠から新デザインの扉枠への２枚の透明板および表示装置の付替えが行いやすくなる。
【発明を実施するための最良の形態】
【００１６】
本発明の実施形態について図を用いて説明する。
【００１７】
［第１実施形態］
図１は本発明の第１実施形態に係る弾球遊技機であってガラス扉が開いた状態を示す斜視図である。図２は図１に示したガラス扉の（ａ）前面、（ｂ）上面および（ｃ）左側面を示す３面図である。図３は図１に示したガラス扉から離れる方向にガラスユニットを回動させた状態を示す斜視図である。図４は図２（ａ）のＡ−Ａ断面図である。図５は図４に示したガラス扉上部の拡大図である。図６は前枠と後枠を開いた状態のガラスユニットを示す斜視図である。図７は図３に示した扉枠に対するガラスユニットの軸着個所の拡大図である。
【００１８】
図１に示すように、第１実施形態に係る弾球遊技機１は、遊技場の島設備に設置される外枠２と、この外枠２に嵌め込まれ遊技盤７（遊技領域の構成は図示していない）を保持する遊技機本体３と、遊技盤７の前面を覆い遊技機本体３に取付けられたガラス扉１０（所謂、前面扉）と、このガラス扉１０の下方に設けられ、遊技領域に向けて発射される遊技球を貯留するための受け皿５や発射ハンドル６を一体化してなる一体皿ユニット４とを備えている。
【００１９】
ガラス扉１０は、遊技機本体３の右側部（図１の左側）に矢印Ａ方向に回動可能に軸着された扉枠１１と、扉枠１１の背面に着脱可能に取付けられたガラスユニット１２とを備えている。ガラスユニット１２は前後方向に間隔を空けて重なる２枚の透面板１３，１４（図４参照）を含んでいる。これらの透面板１３，１４のうちの前側の透面板１３は、扉枠１１の内側に形成された開口部１１ａ（図３参照）から露出している。前側の透面板１３はアクリル板からなり、遊技盤から所定の間隔を隔てて位置していることにより、磁石等による遊技盤への不正行為を防止する。後側の透面板１４は強化ガラスからなり、遊技球が遊技盤から前方へ飛散するのを防止する。
【００２０】
図６に示すように、ガラスユニット１２は、２枚の透面板１３，１４のうちの前側の透面板１３の周縁を囲む前枠１５と、後側の透面板１４の周縁を囲む後枠１６と、これらの前枠１５と後枠１６とを矢印Ｃ方向に開閉可能に軸着するヒンジ部１７とを備えている。このヒンジ部１７は、前枠１５に設けられて下方に延びた軸棒１７ａと、後枠１６に設けられて軸棒１７ａが上方から挿し通される軸受部１７ｂとを備え、前枠１５および後枠１６の右側部に上下方向に２つ並んで配置されている。
【００２１】
扉枠１１へのガラスユニット１２の取付構造は、図７に示すように、ヒンジ部１７の下方に突出した軸棒１７ａと、扉枠１１において開口部１１ａの右側方に上下方向に並んで設けられ、弾球遊技機１の後方に向かって突出した２つの支持部１８とを含んでいる。支持部１８には、軸棒１７ａが回転可能に挿入される軸孔１８ａが設けられている。つまり、ヒンジ部１７が支持部１８に載置された状態において軸棒１７ａが軸孔１８ａに挿入されていることによって、ガラスユニット１２は扉枠１１の背面に対し、図３に示すように矢印Ｂ方向に回動可能に軸着されている。
【００２２】
図６に示すように、ガラスユニット１２の取付構造はさらに、前枠１５の左上部（図６の左上側）および左下部（図６の左下側）のそれぞれに設けられ外方に突出した略三角形の２つの舌状部１５ａと、扉枠１１において開口部１１ａの左上部（図１の左上側）および左下部（図１の左下側）のそれぞれに設けられ扉枠１１の背面に沿って回動可能な係止片１９とを含んでいる。図１に示すように、前枠１５が扉枠１１の背面に重ね合わされた状態において、舌状部１５ａが扉枠１１の背面と係止片１９との間で挟まれることによって、ガラスユニット１２が扉枠１１に重ね合わされた状態に固定される。
【００２３】
図３に示すように、ガラスユニット１２の上部中央には、表示装置としての液晶表示装置２０が前方に突出して取付けられている。具体的には、図４〜６に示すように、後枠１６の上部中央に、前側の透明板１３よりも前方に突出した第１突出部２７が設けられていて、この第１突出部２７の前端部に液晶表示装置２０を保持する保持部２１が設けられている。この保持部２１に液晶表示装置２０がネジ留めされている。液晶表示装置２０は、弾球遊技機１の遊技状態に応じた演出画面、遊技情報、またはエラーや不正行為の検知等の各種情報を表示する。
【００２４】
前枠１５の上部中央には、前方に突出した第２突出部２８が設けられている。図５に示すように、前枠１５が後枠１６に対して閉じたとき、第２突出部２８は、第１突出部２７に下方から接触して重なった状態となる。この第２突出部２７にはカバー２２が設けられている。カバー２２は、前後方向に貫通する枠部２３と、この枠部２３の前側を塞ぐ透明な保護板２４とを備えている。枠部２３は、前枠１５に液晶表示装置２０が取付けられた状態において、その前枠１５が後枠１６に対して閉じたときに、背後からの液晶表示装置２０の挿入を受け入れることが可能な寸法に設定されている。また、扉枠１１の上部中央には、前後方向に貫通した窓孔１１ｂが設けられている。この窓孔１１ｂは、前枠１５が扉枠１１の背面に重ね合わされた状態において、保護板２４を露出させる。つまり、液晶表示装置２０は、図３に矢印Ｄで示すように、扉枠１１に対するガラスユニット１２の取付けに伴い、窓孔１１ｂから保護板２４を通して液晶表示装置２０の前面すなわち表示パネルが視認可能な位置に、扉枠１１の背面側から配置される。
【００２５】
ガラスユニット１２は、前枠１５と後枠１６とを閉じた状態に固定する固定手段を備えている。この固定手段は、保持部２１の左右両側部のそれぞれから前方に突出し左右方向に撓むことが可能な一対の腕部２５と、枠部２３の左右両側部のそれぞれに設けられ、一対の腕部２５のそれぞれが引っ掛かる一対の爪２６とから構成されている。保持部２１と枠部２３とは一対の腕部２５と一対の爪２６とによってスナップフィット結合し、この結果、前枠１５と後枠１６とが閉じた状態に固定される。なお、保持部２１、カバー２２、枠部２３、保護板２４、腕部２５、爪２６、第１突出部２７および第２突出部２８は、扉枠１１に対するガラスユニット１２の取付けに伴い窓孔１１ｂから視認可能となる位置に液晶表示装置２０が配置されるよう液晶表示装置２０を保持する表示装置装着部を構成している。
【００２６】
第１実施形態に係る弾球遊技機１によれば次の効果を得られる。
【００２７】
第１実施形態に係る弾球遊技機１によれば、２枚の透面板１３，１４を含むガラスユニット１２が扉枠１１に対して着脱可能であるとともに、ガラスユニット１２に液晶表示装置２０が取付けられているので、扉枠１１に対して２枚の透面板１３，１４および液晶表示装置２０を一度に着脱することができるようになる。これによって、扉枠１１に対する２枚の透面板１３，１４および液晶表示装置２０の着脱が行いやすくなり、この結果、扉枠１１のデザイン替えに際して、旧デザインの扉枠から新デザインの扉枠への２枚の透面板１３，１４および液晶表示装置２０の付替えを行いやすくなる。また、ガラスユニット１２とともに液晶表示装置２０を、弾球遊技機１と別の弾球遊技機に装着することができるので、液晶表示装置２０のリサイクルに貢献できる。
【００２８】
第１実施形態に係る弾球遊技機１によれば、表示装置が液晶表示装置２０からなるので、各種情報を示すための文字や記号等を明確に表示することができる。
【００２９】
第１実施形態に係る弾球遊技機１によれば、前枠１５と後枠１６とを開くことによって液晶表示装置２０の前面と保護板２４とを離反させることができるようになるので、液晶表示装置２０の前面および保護板２４の背面の清掃が行いやすくなる。
【００３０】
第１実施形態に係る弾球遊技機１によれば、遊技機本体３と扉枠１１との軸着個所、ガラスユニット１２と扉枠１１との軸着個所、および、前枠１５と後枠１６との軸着個所が、弾球遊技機１の前面視右側にまとまって配置されているので、扉枠１１の遊技機本体３に対する回動、ガラスユニット１２の扉枠１１に対する回動、および、前枠１５と後枠１６との開閉を、すべて弾球遊技機１の前面視左側から行うことができるようになり、これによって、清掃や部品交換などのメンテナンス作業が行いやすくなる。
【００３１】
なお、第１実施形態に係る弾球遊技機１では、遊技機本体３と扉枠１１との軸着個所、ガラスユニット１２と扉枠１１との軸着個所、および、前枠１５と後枠１６との軸着個所が、弾球遊技機１が前面視左側にまとまって配置されているが、本発明はこれに限定されるものではなく、前面視右側にまとまって配置されているもであってもよい。
【００３２】
第１実施形態に係る弾球遊技機１では、ヒンジ部１７の軸棒１７ａを利用することで前枠１５および後枠１６の両方が扉枠１１に回動可能かつ着脱可能に軸着されているが、本発明はこれに限定するものではなく、前枠１５および後枠１６のいずれか一方が扉枠１１に回動可能かつ着脱可能に軸着されているものであってもよい。
【００３３】
第１実施形態に係る弾球遊技機１では、液晶表示装置２０が扉枠１１の上部中央に配置されたものであったが、本発明において扉枠１１に対する液晶表示装置２０の配置はこれに限定されるものではなく、扉枠１１の左側および右側の少なくとも一方や、上部、左側および右側のすべてであってもよい。
【００３４】
［第２実施形態］
図８は本発明の第２実施形態に係る弾球遊技機における、ガラスユニットに対する液晶表示装置の取付構造を示す図である。
【００３５】
第２実施形態に係る弾球遊技機において、ガラスユニット１２に対する液晶表示装置２０の取付構造が、第１実施形態に係る弾球遊技機１におけるそれと相違している。
【００３６】
図８示すように、第２実施形態において、液晶表示装置２０の取付構造は、ガラスユニット１２の上部中央に取付けられ、液晶表示装置２０をガラスユニット１２の前方に突出した状態で保持する保持部材３０を含んでいる。この保持部材３０は、ガラスユニット１２よりも前方に突出し前面視左右方向に広がった板部３１と、この板部３１の後端（図８の右側）から屈曲して下方に突出し、前枠１５と後枠１６との間に突出方向の終端が挟持される被挟持部３２と、板部３１の左右両側部から上方に突出し、液晶表示装置２０の左右両側方のそれぞれに対向して配置される一対の側板部３３とを備えている。
【００３７】
被挟持部３２の終端には、前方に突出した前鍔３２ａと、後方に突出した後鍔３２ｂとが形成されていて、被挟持部３２は断面逆Ｔ字状となっている。前枠１５の上部には、前鍔３２ａを含む被挟持部３２の前側半分が嵌め込まれる鉤状の前方嵌め込み部３４が形成されている。後枠１６の上部には、前方嵌め込み部３４と対向し、後鍔３２ｂを含む被挟持部３２の後側半分が嵌め込まれる鉤状の後方嵌め込み部３５が形成されている。前方嵌め込み部３４の前面視左右方向の長さ寸法と、後方嵌め込み部３５の前面視左右方向の長さ寸法とは、同じ寸法で、被挟持部３２よりも左右方向に長く設定されている。つまり、被挟持部３２と、前方嵌め込み部３４と、後方嵌め込み部３５とから、ガラスユニット１２に対する液晶表示装置２０の前面視左右方向の位置の調整を可能にする位置調整手段が構成されている。
【００３８】
液晶表示装置２０は、カバー部材３６に収納されている。このカバー部材３６は、液晶表示装置２０が嵌め込まれる前面視矩形の枠部３７と、この枠部３７の前側の開口部を塞ぎ、液晶表示装置２０の前面の視認を可能にする保護板２４と、液晶表示装置２０の背面に対向し枠部３７の後側（図８の右側）の開口部を塞ぐ背面板３８とから構成されている。
【００３９】
一対の側板部３３には、カバー部材３６を前後方向に回動可能に支持する回動支持部３９が設けられている。また、側板部３３には、カバー部材３６の回動中心と同心の円弧状に延びた円弧孔４０が形成されている。一対の側板部３３のそれぞれに対向するカバー部材３６の左側部には、雌ネジ部（図示していない）が設けられている。この雌ネジ部には、円弧孔４０に挿通されたネジ４１が螺合していて、カバー部材３６の回動の規制が可能となっている。つまり、回動支持部３９と、円弧孔４０と、雌ネジ部およびネジ４１とから、ガラスユニット１２に対する液晶表示装置２０の傾度の調整を可能にする傾度調整手段が構成されている。
【００４０】
なお、第２実施形態に係る弾球遊技機では、図示しないが、前枠１５と後枠１６とが、これらのヒンジ部１８とは反対側の側部である左側部においてスナップフィット結合することにより、前枠１５と後枠１６とが閉じた状態に固定される。
【００４１】
第２実施形態に係る弾球遊技機において、前述の液晶表示装置２０の取付構造以外の構成は第１実施形態に係る弾球遊技機１と同様なので、その説明を省略する。
【００４２】
第２実施形態に係る弾球遊技機によれば、次の効果を得られる。
【００４３】
第２実施形態に係る弾球遊技機によれば、デザイン替えの際、新デザインの扉枠の窓孔の位置と、旧デザインの扉枠の窓孔の位置との製作誤差に応じた液晶表示装置２０の取付位置の調整を、位置調整手段により行うことができるようになる。
【００４４】
第２実施形態に係る弾球遊技機によれば、液晶表示装置２０の前後方向の傾度の調整を、傾度調整手段により行うことができるようになる。これにより、液晶表示装置２０に表示された情報を遊技者に見やすくすることができる。
【００４５】
なお、第２実施形態に係る弾球遊技機では、ガラスユニット１２の上部に被挟持部３２を挟持するための前方嵌め込み部３４および後方嵌め込み部３５が設けられていることで、液晶表示装置２０がガラスユニット１２の上部に取付けられるようになっているが、本発明における液晶表示装置の取付位置はこれに限定されるものではない。ヒンジ部１８とは反対側の側部である左側部に、前方嵌め込み部および後方嵌め込み部が設けられていることで、液晶表示装置２０がガラスユニット１２の左側部に取付けられるものであってもよい。
【００４６】
また、ガラスユニット１２の上部と左側部の両方に前方嵌め込み部および後方嵌め込み部が設けられていてもよい。これにより、液晶表示装置２０の取付位置をガラスユニット１２の上部と左側部とから選択的できるようになるので、扉枠の左側部に液晶表示装置が配置されるデザインのガラス扉にも対応させることができる。
【図面の簡単な説明】
【００４７】
【図１】本発明の第１実施形態に係る弾球遊技機であってガラス扉が開いた状態を示す斜視図である。
【図２】図１に示したガラス扉の（ａ）前面、（ｂ）上面および（ｃ）左側面を示す３面図である。
【図３】図１に示したガラス扉から離れる方向にガラスユニットを回動させた状態を示す斜視図である。
【図４】図２（ａ）のＡ−Ａ断面図である。
【図５】図４に示したガラス扉上部の拡大図である。
【図６】前枠と後枠を開いた状態のガラスユニットを示す斜視図である。
【図７】図３に示した扉枠に対するガラスユニットの軸着個所の拡大図である。
【図８】本発明の第２実施形態に係る弾球遊技機における、ガラスユニットに対する液晶表示装置の取付構造を示す図である。
【符号の説明】
【００４８】
１  弾球遊技機
２  外枠
３  遊技機本体
４  皿一体ユニット
５  受け皿
６  発射ハンドル
７  遊技盤
１０  ガラス扉
１１  扉枠
１１ａ  開口部
１１ｂ  窓孔
１２  ガラスユニット
１３  透明板
１４  透明板
１５  前枠
１５ａ  舌状部
１６  後枠
１７  ヒンジ部
１７ａ  軸棒
１７ｂ  軸受部
１８  支持部
１８ａ  軸孔
１９  係止片
２０  液晶表示装置
２１  保持部
２２  カバー
２３  枠部
２４  保護板
２５  腕部
２６  爪
２７  第１突出部
２８  第２突出部
２９  表示装置装着部
３０  保持部材
３１  板部
３２  被挟持部
３２ａ  前鍔
３２ｂ  後鍔
３３  側板部
３４  前方嵌め込み部
３５  後方嵌め込み部
３６  カバー部材
３７  枠部
３８  背面板
３９  回動支持部
４０  円弧孔
４１  ネジ
【図１】
0004714708.tif 000002
【図２】
0004714708.tif 000003
【図３】
0004714708.tif 000004
【図４】
0004714708.tif 000005
【図５】
0004714708.tif 000006
【図６】
0004714708.tif 000007
【図７】
0004714708.tif 000008
【図８】
0004714708.tif 000009